(57)【要約】【課題】任意の位置に容易かつ適切に印刷を行うことが可能な印刷装置を提供すること。【解決手段】印刷装置１は、印刷データを情報処理装置から印刷装置１に送信し、ユーザが押下部１０を押下することにより、所定範囲に印刷データが印刷される。即ち、ユーザが、スタンプを押すような使用態様で印刷装置１の押下部１０を押下すると、スタンプの印画領域に相当する領域にプリンタヘッド２４によって印刷データが印刷される。したがって、印刷面の任意の位置に、印刷装置１を移動させることなく、容易かつ適切に印刷データを印刷することができる。また、同一の印刷用紙上に、情報処理装置において表示されているページ全体のうちの一部分を繰り返し印刷することが容易となる。【選択図】　　　　図１
2004106329.tif 000002
【特許請求の範囲】
【請求項１】
印刷面に載置された状態で印刷データを該印刷面に印刷可能な印刷装置であって、
印刷面に載置された場合に印刷面に当接される当接部と、
前記当接部が印刷面に当接された状態で、該印刷面の印刷予定領域を特定する印刷予定領域特定手段と、
前記当接部が印刷面に当接された状態で、前記印刷予定領域に印刷可能な印刷手段と、
を備え、
印刷の実行が指示入力されることに対応して、前記印刷予定領域に印刷データを印刷することを特徴とする印刷装置。
【請求項２】
前記印刷手段は、所定範囲に印刷可能な印刷ヘッドを備え、印刷の実行が指示入力されることに対応して、該印刷ヘッドが前記印刷予定領域内を移動し、前記印刷予定領域に印刷データを印刷することを特徴とする請求項１記載の印刷装置。
【請求項３】
前記印刷データを外部から受信するための受信部を備えることを特徴とする請求項１または２記載の印刷装置。
【請求項４】
前記印刷予定領域に、印刷データが印刷された場合に想定される印刷予定画像を投影する投影手段をさらに備え、前記印刷手段は、該印刷予定画像と一致するように印刷データを印刷することを特徴とする請求項１〜３のいずれかに記載の印刷装置。
【請求項５】
前記印刷予定画像を変化させる調整手段をさらに備え、前記印刷手段は、該調整手段によって変化された画像と一致するように印刷データを印刷することを特徴とする請求項４記載の印刷装置。
【請求項６】
前記調整手段は、前記印刷予定画像の位置、大きさ、回転角度位置あるいは色調の少なくともいずれかを調整可能であることを特徴とする請求項５記載の印刷装置。
【請求項７】
前記当接部が印刷面に当接された状態で、前記印刷予定領域を外部から視認可能とする窓部を、装置を覆う筐体の一部に備えることを特徴とする請求項１〜６のいずれかに記載の印刷装置。
【請求項８】
押下されることにより、印刷装置に押し込まれる押下部を備え、該押下部が押下されることに対応して、印刷の実行が指示入力されることを特徴とする請求項１〜７のいずれかに記載の印刷装置。
【請求項９】
前記押下部が押下される動作によって電力を発生する発電手段をさらに備え、印刷データを印刷する際に、該発電手段によって発電された電力を利用可能であることを特徴とする請求項１〜８のいずれかに記載の印刷装置。
【請求項１０】
スタンプを模した形状を有し、スタンプの印面に相当する面に前記印刷手段を備え、スタンプを押した場合の印画領域に、印刷データを印刷することを特徴とする請求項１〜９のいずれかに記載の印刷装置。
【請求項１１】
請求項１０記載の印刷装置に印刷データを送信するためのインターフェース装置であって、スタンプ台を模した形状を有し、前記印刷装置が接触されることにより、前記印刷データを送信することを特徴とするインターフェース装置。
【発明の詳細な説明】
【０００１】
【発明の属する技術分野】
本発明は、文字あるいは図形等の印刷データを印刷面に印刷する印刷装置およびその印刷装置に印刷データを送信するインターフェース装置に関する。
【０００２】
【従来の技術】
従来、ＰＣ（Ｐｅｒｓｏｎａｌ　Ｃｏｍｐｕｔｅｒ）等の情報処理装置において処理されたデータを印刷する際、印刷装置が用いられている。
この際に用いられる印刷装置は、主として据え置いて使用することを目的とし、印刷用紙を給紙するローディング機構を備えたものであって、情報処理装置においてレイアウト処理された紙面のレイアウトに従って、ページ全体を印刷する形式のもの（以下、「固定型プリンタ」と言う。）が一般的である。
【０００３】
ところが、このような印刷装置においては、紙面のレイアウトを予め行った後、ページ全体を印刷することから、同一の紙面に追記的に印刷することや、ページ内の一部分である文章や画像を繰り返し印刷することや、既に画像等が印刷されている用紙に追記する印刷等には適していなかった。
そこで、ページ全体のレイアウトに比較的拘束されない印刷装置として、いわゆるハンディプリンタ装置が提案されている。ハンディプリンタ装置は、給紙装置を備えることなく、ユーザによって一定方向に手動で移動されることにより、目的の印刷データを印刷面に印刷する機能を有している。このようなハンディプリンタ装置としては、例えば特許文献１がある。
【０００４】
【特許文献１】
特開平４−１８７４６０号公報
【０００５】
このようなハンディプリンタ装置は、固定型プリンタに比べ、ページ全体のうちの一部分を繰り返し印刷することおよび追記的に印刷することが比較的容易である。
【０００６】
【発明が解決しようとする課題】
しかしながら、従来のハンディプリンタ装置は、ユーザがハンディプリンタ装置を把持し、印刷面上を移動させつつ、印刷データを印刷する必要があった。そのため、ハンディプリンタ装置を適切に移動させないと印刷結果が歪む場合や、ハンディプリンタ装置自体に印刷個所が隠されることにより、所望の位置に印刷が行えない場合が生じる等、利便性の点で問題があり、広く普及するには至っていなかった。
【０００７】
本発明の課題は、任意の位置に容易かつ適切に印刷を行うことが可能な印刷装置を提供することである。
【０００８】
【課題を解決するための手段】
以上の課題を解決するため、請求項１記載の発明は、
印刷面に載置された状態（例えば、印刷用紙に印刷装置が押し当てられた状態等）で印刷データを該印刷面に印刷可能な印刷装置であって、印刷面に載置された場合に印刷面に当接される当接部（例えば、図１の筐体２０）と、前記当接部が印刷面に当接された状態で、該印刷面の印刷予定領域（例えば、図１の筐体２０の下面が印刷面に当接された場合に、印刷面に当接している筐体２０の下端部分によって囲まれる領域）を特定する印刷予定領域特定手段（例えば、図１の筐体２０の下面において、印刷面に当接される下端部分）と、前記当接部が印刷面に当接された状態で、前記印刷予定領域に印刷可能な印刷手段（例えば、図１のプリンタヘッド２４）とを備え、印刷の実行が指示入力されることに対応して、前記印刷予定領域に印刷データを印刷することを特徴としている。
【０００９】
ここで、「印刷予定領域を特定する」ことには、印刷装置が当接された状態で印刷の実行が指示入力された場合に印刷が行われる領域（印刷予定領域）をユーザに示唆する種々の態様が含まれる。
また、印刷装置の所定部分を押し込む動作、所定のボタンを押下する動作あるいは印刷装置が印刷面に当接されたことを感知することに基づいて、印刷の実行が指示入力されること等が可能である。
【００１０】
請求項２記載の発明は、
請求項１記載の印刷装置であって、
前記印刷手段は、所定範囲に印刷可能な印刷ヘッド（例えば、図１のプリンタヘッド２４）を備え、印刷の実行が指示入力されることに対応して、該印刷ヘッドが前記印刷予定領域内を移動し、前記印刷予定領域に印刷データを印刷することを特徴としている。
【００１１】
請求項３記載の発明は、
請求項１または２記載の印刷装置であって、
前記印刷データを外部から受信するための受信部（例えば、図２のインターフェース部１０５あるいは図３の通信部１１１）を備えることを特徴としている。
【００１２】
請求項４記載の発明は、
請求項１〜３のいずれかに記載の印刷装置であって、
前記印刷予定領域に、印刷データが印刷された場合に想定される印刷予定画像を投影する投影手段（例えば、図３の投影表示部１０９）をさらに備え、前記印刷手段は、該印刷予定画像と一致するように印刷データを印刷することを特徴としている。
【００１３】
請求項５記載の発明は、
請求項４記載の印刷装置であって、
前記印刷予定画像を変化させる調整手段（例えば、図３の調整ダイヤル１１０）をさらに備え、前記印刷手段は、該調整手段によって変化された画像と一致するように印刷データを印刷することを特徴としている。
【００１４】
請求項６記載の発明は、
請求項５記載の印刷装置であって、
前記調整手段は、前記印刷予定画像の位置、大きさ、回転角度位置あるいは色調の少なくともいずれかを調整可能であることを特徴としている。
【００１５】
請求項７記載の発明は、
請求項１〜６のいずれかに記載の印刷装置であって、
前記当接部が印刷面に当接された状態で、前記印刷予定領域を外部から視認可能とする窓部（例えば、図４に示す窓等）を、装置を覆う筐体の一部に備えることを特徴としている。
【００１６】
請求項８記載の発明は、
請求項１〜７のいずれかに記載の印刷装置であって、
押下されることにより、印刷装置に押し込まれる押下部（例えば、図１の押下部１０）を備え、該押下部が押下されることに対応して、印刷の実行が指示入力されることを特徴としている。
【００１７】
請求項９記載の発明は、
請求項１〜８のいずれかに記載の印刷装置であって、
前記押下部が押下される動作によって電力を発生する発電手段（例えば、図１の小型の発電機）をさらに備え、印刷データを印刷する際に、該発電手段によって発電された電力を利用可能であることを特徴としている。
【００１８】
請求項１０記載の発明は、
請求項１〜９のいずれかに記載の印刷装置であって、
スタンプを模した形状を有し、スタンプの印面に相当する面（例えば、図１の印刷装置１の下面）に前記印刷手段を備え、スタンプを押した場合の印画領域（スタンプを押すことによりスタンプの図柄が表れる領域）に、印刷データを印刷することを特徴としている。
【００１９】
請求項１１記載の発明は、
請求項１０記載の印刷装置に印刷データを送信するためのインターフェース装置であって、スタンプ台を模した形状を有し、前記印刷装置が接触されることにより、前記印刷データを送信することを特徴としている。
【００２０】
本発明によれば、押下部を押下すること等により、印刷の実行が指示入力されると、所定範囲に印刷データが印刷される。即ち、ユーザが、スタンプを押すような使用態様で印刷装置の押下部を押下する等、印刷の実行を指示入力すると、スタンプの印画領域に相当する領域に印刷手段によって印刷データが印刷される。
【００２１】
したがって、印刷面の任意の位置に、印刷装置を移動させることなく、容易かつ適切に印刷データを印刷することができる。また、同一の印刷用紙上に、情報処理装置等、印刷データを編集する装置において表示されているページ全体のうちの一部分を繰り返し印刷することが容易となる。
【００２２】
また、本発明によれば、印刷データの印刷イメージ（印刷予定画像）を予め印刷面に投影することが可能であり、調整手段を操作することによりユーザは印刷イメージの大きさあるいは位置等を調整可能である。そして、押下部が押下されること等により、印刷イメージ通りに印刷データが印刷される。
【００２３】
したがって、ユーザは、実際の印刷面に印刷される画像を、より正確に予め把握することができ、実際に印刷される画像と、ユーザが想定した画像とのずれをより少ないものとすることができる。
また、本発明によれば、外部から印刷面を確認可能とすべく、筐体に窓部が設けられている。
【００２４】
したがって、ユーザは、印刷イメージを確認しやすく、また、印刷面において、所望の位置に印刷を行うことが容易となる。
さらに、本発明によれば、発電手段によって発電された電力を利用して、印刷を行うことが可能である。
したがって、別途、電力を供給することなく、印刷のための動作（押下動作）のみによって、印刷装置を駆動し、印刷を行うことができる。
【００２５】
また、本発明によれば、印刷装置をスタンプを模した形状とし、インターフェース装置をスタンプ台を模した形状とすることにより、ユーザは、スタンプを使用する要領で印刷が行える。即ち、従来知られているスタンプの使用方法をユーザに思い起こさせるため、ユーザにとって、印刷装置の使用方法が直感的にわかりやすいものとなり、印刷装置の利便性が向上する。
【００２６】
【発明の実施の形態】
以下、図を参照して本発明に係る印刷装置の実施の形態を詳細に説明する。
（第１の実施の形態）
まず、構成を説明する。
図１は、本発明を適用した第１の実施の形態に係る印刷装置１の構成を示す図である。図１において、印刷装置１は、押下部１０と、筐体２０とを含んで構成される。
【００２７】
押下部１０は、筐体２０の上面から所定長突出して設けられ、ばね１１によって、筐体２０の上面から突出する向きに付勢されている。また、押下部１０の側面の一部には、平歯が刻まれており、筐体２０の歯車２１とかみ合っている。そして、押下部１０が押下されることにより筐体２０内部に押し込まれると、その動作が歯車２１の回転運動として伝達される。
【００２８】
筐体２０は、歯車２１と、滑車２２と、ベルト２３と、プリンタヘッド２４と、ガイドレール２５とを含んで構成される。
歯車２１は、押下部１０の平歯とかみ合い、押下部１０が押し込まれる動作を回転運動に変換する。また、歯車２１には、環状のベルト２３の一端が巻き掛けられている。
【００２９】
滑車２２は、環状のベルト２３の他端が巻き掛けられており、歯車２１が回転することによりベルト２３に生ずる搬送運動に応じて回転する。
ベルト２３は、環状のベルトであり、歯車２１および滑車２２に巻き掛けられている。また、ベルト２３の所定位置にはプリンタヘッド２４が固着されており、ベルト２３の搬送運動によって、プリンタヘッド２４が移動される。
【００３０】
プリンタヘッド２４は、ベルト２３の所定位置に固着され、ベルト２３の搬送運動に伴い、ガイドレール２５に沿って摺動する。また、プリンタヘッド２４は、摺動方向に対して一定の広がりを持って印刷可能な構成であり、その広がりの範囲は、一般に想定される印刷対象を１度の摺動動作で印刷可能なものとすることが望ましい。また、プリンタヘッド２４として、微少なインクの粒子を噴射することにより印刷を行う方式や、ドットインパクトにより印刷を行う方式あるいは熱転写により印刷を行う方式等、種々の形式のものが採用可能であるが、ここでは、微少なインクの粒子を噴射する方式であることとして説明する。
【００３１】
ガイドレール２５は、筐体２０の長手方向に渡され、プリンタヘッド２４が摺動するための案内溝を有する部材である。
なお、筐体２０内には、これらの他に印刷装置１の制御系統が備えられるが、この制御系統については後述する。
上述の構成の下、印刷装置１の下面（プリンタヘッド２４の設けられた面）が印刷面に当接され、押下部１０が押下されると、その動作によってプリンタヘッド２４がガイドレール２５に沿って摺動され、プリンタヘッド２４がその位置に応じた印刷を行う。その結果、印刷面上の印刷装置１が当接された所定範囲には、所定の文字あるいは画像等が印刷される。
【００３２】
次に、印刷装置１の制御系統について説明する。
図２は、印刷装置１の機能構成を示すブロック図である。図２において、印刷装置１は、制御部１００と、データメモリ１０１と、プログラムメモリ１０２と、ヘッド駆動回路１０３と、位置センサ１０４と、インターフェース部１０５と、上述のプリンタヘッド２４とを含んで構成される。なお、制御部１００と、データメモリ１０１と、プログラムメモリ１０２と、インターフェース部１０５とは、バス１０６によって接続されている。
【００３３】
制御部１００は、印刷装置１全体を制御するもので、インターフェース部１０５から入力される各種の指示信号に従って、プログラムメモリ１０２に記憶された各種処理に関するプログラムを読み出して実行したり、押下部１０が押下されることによる印刷の実行指示信号に従って、ヘッド駆動回路１０３を駆動し、プリンタヘッド２４に印刷を実行させたりする。
【００３４】
また、制御部１００は、位置センサ１０４からプリンタヘッド２４の位置を示す信号を受信し、その位置に応じた印刷データをプリンタヘッド２４に印刷させる。
データメモリ１０１は、例えば、ＳＤＲＡＭ（Ｓｙｎｃｈｒｏｎｏｕｓ　Ｄｙｎａｍｉｃ　Ｒａｎｄｏｍ　Ａｃｃｅｓｓ　Ｍｅｍｏｒｙ）等の揮発性メモリによって構成され、インターフェース部１０５を介して受信した印刷データを一時的に格納する。
プログラムメモリ１０２は、例えばフラッシュＲＯＭ等の不揮発性のメモリ等によって構成され、インターフェース部１０５を介して受信した印刷データをプリンタヘッド２４に印刷させるためのプログラムや、印刷装置１を制御するための種々のプログラムを記憶している。
【００３５】
ヘッド駆動回路１０３は、制御部１００の指示に従って、プリンタヘッド２４に制御電圧を加え、インクの噴射口であるヘッド列から、インクを噴射させる。位置センサ１０４は、印刷時に、プリンタヘッド２４の位置を制御部１００に逐次出力する。
【００３６】
インターフェース部１０５は、印刷データを提供する情報処理装置（例えば、パーソナルコンピュータやワークステーション等）と有線あるいは無線通信によって通信を行うためのインターフェースであり、例えば、ＩｒＤＡ（Ｉｎｆｒａｒｅｄ　Ｄａｔａ　Ａｓｓｏｃｉａｔｉｏｎ）やブルートゥース（Ｂｌｕｅｔｏｏｔｈ）による通信インターフェースである。
【００３７】
このような構成の下、情報処置装置において生成される等して、印刷装置１によって印刷するものとされた印刷データが、インターフェース部１０５を介して印刷装置１に送信される。この印刷データは、プリンタヘッド２４を駆動するコマンド列の形式、印刷データの印刷イメージを示す画像データの形式のいずれとすることも可能である。
【００３８】
そして、印刷装置１は、受信した印刷データをデータメモリ１０１に保持し、押下部１０が押下されることに対応して、制御部１００がデータメモリ１０１から印刷データを読み出す。
さらに、押下部１０が押下されることによりプリンタヘッド２４が摺動され、制御部１００が、そのプリンタヘッド２４の位置に対応した印刷データをプリンタヘッド２４に印刷させる。
【００３９】
すると、プリンタヘッド２４がガイドレール２５に沿って一往復することにより、所定範囲に印刷データが印刷される。
以上のように、本実施の形態に係る印刷装置１は、印刷データを情報処理装置から印刷装置１に送信し、ユーザが押下部１０を押下することにより、所定範囲に印刷データが印刷される。即ち、ユーザが、スタンプを押すような使用態様で印刷装置１の押下部１０を押下すると、スタンプの印画領域に相当する領域にプリンタヘッド２４によって印刷データが印刷される。
【００４０】
したがって、印刷面の任意の位置に、印刷装置１を移動させることなく、容易かつ適切に印刷データを印刷することができる。また、同一の印刷用紙上に、情報処理装置において表示されているページ全体のうちの一部分を繰り返し印刷することが容易となる。
【００４１】
（第２の実施の形態）
次に、本発明を適用した第２の実施の形態に係る印刷装置２について説明する。図３は、本発明を適用した第２の実施の形態に係る印刷装置２の機能構成を示すブロック図である。また、図４は、印刷装置２の構成を示す図である。
【００４２】
印刷装置２は、印刷装置１に印刷結果のプレビュー機能を付加したものであり、機能構成の主要な部分は、図２に示す印刷装置１と同様である。したがって、異なる部分である制御部１００と、表示メモリ１０７と、表示駆動回路１０８と、投影表示部１０９とについて説明し、他の部分については説明を省略する。
【００４３】
制御部１００は、情報処理装置から受信した印刷データを画像データとして表示メモリ１０７に記憶し、印刷データの画像を投影表示部１０９によって印刷面に投影させる。また、このとき、制御部１００は、調整ダイヤル１１０の入力操作に応じて、投影する画像の大きさあるいは位置等を変化させて投影し、投影された画像に対応させて、プリンタヘッド２４に印刷させる画像の大きさあるいは位置等を変化させる。即ち、投影表示部１０９によって投影される画像と、プリンタヘッド２４によって印刷される画像とは、その大きさあるいは位置等が一致している。
【００４４】
なお、印刷面に投影された画像をユーザが見易くするため、筐体２０は、その一部あるいは全部を透明な部材によって構成したり、筐体２０の一部に窓等を設けたりする等して、印刷装置２を印刷面に当てた状態で、印刷面を外部から確認できるものとされている（図４参照）。
表示メモリ１０７は、インターフェース部１０５を介して情報処理装置から受信した印刷データを画像データとして一時的に記憶し、制御部１００の指示に従って、記憶している印刷データを表示駆動回路１０８に出力する。
【００４５】
表示駆動回路１０８は、表示メモリ１０７に記憶された画像データに基づいて、投影表示部１０９に印刷データの画像を表示させる。
投影表示部１０９は、表示駆動回路１０８から入力された信号に基づいて、印刷データの画像を印刷面に投影する。
ここで、投影表示部１０９は、例えば、図４に示すように、印刷データの印刷イメージを表示する液晶表示装置１０９ａと、液晶表示装置１０９ａに表示された映像を拡大して投影するレンズ１０９ｂとを備え、投影光によって印刷データの画像を印刷面に表示する。
【００４６】
なお、投影表示部１０９によって印刷面に投影される画像の大きさあるいは位置等は、上述のように、調整ダイヤル１１０が入力操作されることに対応して、制御部１００により変化される。
このような構成の下、印刷装置２によって印刷を行う際、ユーザは、投影表示部１０９によって、印刷イメージを予め印刷面に投影し、その大きさ、位置等を確認する。そして、必要に応じて、調整ダイヤル１１０によって印刷イメージの大きさあるいは位置等を変化させた上で、押下部１０を押下する。
【００４７】
すると、プリンタヘッド２４が摺動され、制御部１００が、印刷面に投影された印刷イメージと同一の画像をプリンタヘッド２４に印刷させる。即ち、印刷面の所定範囲に印刷イメージ通りの印刷データが印刷される。
以上のように、本実施の形態に係る印刷装置２は、印刷データの印刷イメージを予め印刷面に投影することが可能であり、調整ダイヤル１１０を操作することによりユーザは印刷イメージの大きさあるいは位置を調整可能である。そして、押下部１０が押下されることにより、印刷イメージ通りに印刷データが印刷される。
【００４８】
したがって、ユーザは、実際の印刷面に印刷される画像を、より正確に予め把握することができ、実際に印刷される画像と、ユーザが想定した画像とのずれをより少ないものとすることができる。
また、印刷装置２は、外部から印刷面を確認可能とすべく、筐体２０が透明な部材で構成されたり、筐体２０に窓が設けられたりしている。
【００４９】
したがって、ユーザは、印刷イメージを確認しやすく、また、印刷面において、所望の位置に印刷を行うことが容易となる。
なお、印刷イメージを表示することにより、大きさあるいは位置を調整する場合の他、印刷される画像の色を調整することも可能である。
また、上述の印刷装置１，２において、押下部１０が押下される動作のエネルギーを利用して、制御部１００やプリンタヘッド２４等を駆動する電力を供給することが可能である。例えば、筐体２０内に小型の発電機（図１参照）を設け、押下部１０が押下されることによって回転する歯車２１の回転を発電機に伝達し、電力を発生させることが可能である。そして、その電力を用いて印刷装置１，２を駆動させることにより、電池や交流電源等により電力を供給する必要がなくなる。
【００５０】
また、情報処理装置から印刷装置１，２に印刷データを送信する方法として、上述のようにインターフェース部１０５を介して送信する場合の他、以下のような方法が可能である。
即ち、印刷装置１，２をスタンプを模した形状とし、情報処理装置から印刷データを送信する部分（以下、「台座部」と言う。）をスタンプ台を模した形状とする。また、印刷装置１，２に通信部１１１を備えておき、通信部１１１によって、印刷装置１，２と、台座部との間で、非接触式通信（例えば、光、ブルートゥース等による無線通信）あるいは接触式通信（例えば、金属の接点を介した有線通信）を行うことを可能としておく（図３参照）。
【００５１】
そして、ユーザが印刷を行う際、スタンプをスタンプ台に押し当てる要領で、印刷装置１，２を台座部に接触させた後、印刷面に印刷装置１，２を押し当てる。
このとき、印刷装置１，２を台座部に接触させた際に、印刷データの送信が行われ、印刷装置１，２を印刷面に押し当てることにより、その印刷データが印刷される。
【００５２】
このように印刷データの送信および印刷を行うこととすると、従来知られているスタンプの使用方法を思い起こさせるため、ユーザにとって、印刷装置１，２の使用方法が直感的にわかりやすいものとなり、印刷装置１，２の利便性が向上する。
さらに、印刷装置１，２にスキャナあるいはデジタルカメラ等の画像入力装置を備えることも可能である。この場合、スキャナで読み取った画像や、デジタルカメラで撮影した画像を印刷装置１，２によって印刷することにより、いわゆるコピーアンドペーストのような使用態様が実現でき、情報処理装置から送信された印刷データを印刷する以外に、広範な対象物を画像として印刷することが可能となる。
【００５３】
また、印刷装置１，２にメモリーカード等の記録媒体や、情報を含む図形（データコード等）を読み取る読取装置を備えることも可能である。この読取装置としては、記録媒体等を装着して読み取る方式、近接させて読み取る方式あるいは接触させて読み取る方式等が考えられる。そして、使用頻度の高い定型の印刷データ（例えば、住所、氏名あるいは熨斗の文面等の印刷データ等）を記録した記録媒体や情報を含む図形を適宜読み取らせて印刷することにより、情報処理装置を介在させることなく、印刷データを印刷することが可能となる。
【００５４】
【発明の効果】
本発明によれば、押下部を押下すること等により、印刷の実行が指示入力されると、所定範囲に印刷データが印刷される。即ち、ユーザが、スタンプを押すような使用態様で印刷装置の押下部を押下する等、印刷の実行を指示入力すると、スタンプの印画領域に相当する領域に印刷手段によって印刷データが印刷される。
【００５５】
したがって、印刷面の任意の位置に、印刷装置を移動させることなく、容易かつ適切に印刷データを印刷することができる。また、同一の印刷用紙上に、情報処理装置等、印刷データを編集する装置において表示されているページ全体のうちの一部分を繰り返し印刷することが容易となる。
また、本発明によれば、印刷データの印刷イメージ（印刷予定画像）を予め印刷面に投影することが可能であり、調整手段を操作することによりユーザは印刷イメージの大きさあるいは位置等を調整可能である。そして、押下部が押下されること等により、印刷イメージ通りに印刷データが印刷される。
【００５６】
したがって、ユーザは、実際の印刷面に印刷される画像を、より正確に予め把握することができ、実際に印刷される画像と、ユーザが想定した画像とのずれをより少ないものとすることができる。
また、本発明によれば、外部から印刷面を確認可能とすべく、筐体に窓部が設けられている。
【００５７】
したがって、ユーザは、印刷イメージを確認しやすく、また、印刷面において、所望の位置に印刷を行うことが容易となる。
さらに、本発明によれば、発電手段によって発電された電力を利用して、印刷を行うことが可能である。
したがって、別途、電力を供給することなく、印刷のための動作（押下動作）のみによって、印刷装置を駆動し、印刷を行うことができる。
【００５８】
また、本発明によれば、印刷装置をスタンプを模した形状とし、インターフェース装置をスタンプ台を模した形状とすることにより、ユーザは、スタンプを使用する要領で印刷が行える。即ち、従来知られているスタンプの使用方法をユーザに思い起こさせるため、ユーザにとって、印刷装置の使用方法が直感的にわかりやすいものとなり、印刷装置の利便性が向上する。
【図面の簡単な説明】
【図１】本発明を適用した第１の実施の形態に係る印刷装置１の構成を示す図である。
【図２】印刷装置１の機能構成を示すブロック図である。
【図３】本発明を適用した第２の実施の形態に係る印刷装置２の機能構成を示すブロック図である。
【図４】印刷装置２の構成を示す図である。
【符号の説明】
１，２　印刷装置，１０　押下部，１１　ばね，２０　筐体，２１　歯車，２２滑車，２３　ベルト，２４　プリンタヘッド，２５　ガイドレール，１００　制御部，１０１　データメモリ，１０２　プログラムメモリ，１０３　ヘッド駆動回路，１０４　位置センサ，１０５　インターフェース部，１０６　バス，１０７　表示メモリ，１０８　表示駆動回路，１０９　投影表示部，１０９ｂ　レンズ，１０９ａ　液晶表示装置，１１０　調整ダイヤル，１１１　通信部
【図１】
2004106329.tif 000003
【図２】
2004106329.tif 000004
【図３】
2004106329.tif 000005
【図４】
2004106329.tif 000006